(57)【要約】【課題】現場機器処理部等のある機器室に人員を配置することなく、連動モニタ装置から各機器に対して、プログラム及びデータをローディングし得る電子連動装置を提供すること。【解決手段】現場機器処理部１３１〜１３ｎのそれぞれは、演算処理装置ＣＰＵを備え、第２通信ネットワーク１１に接続されている。連動モニタ装置１は、第１通信ネットワーク７及び第２通信ネットワーク１１を経由して、現場機器処理部１３１〜１３ｎのそれぞれにプログラム及びデータを送信するとともに、少なくともプログラムの更新時にはリセット信号を送信して演算処理装置ＣＰＵをリセットする。【選択図】図１
2015036259.tif 000002
【特許請求の範囲】
【請求項１】
複数の現場機器処理部と、連動モニタ装置とを含む電子連動装置であって、
前記現場機器処理部のそれぞれは、演算処理装置を備え、通信ネットワークに接続されており、
前記連動モニタ装置は、前記現場機器処理部のプログラムが更新されたとき、前記通信ネットワークを経由してリセット信号を送信し、前記演算処理装置をリセットする、
電子連動装置。
【請求項２】
請求項１に記載された電子連動装置であって、前記連動モニタ装置は、前記演算処理装置に対するプログラム及びデータのローディングを実行する、電子連動装置。
【発明の詳細な説明】
【技術分野】
【０００１】
本発明は、電子連動装置に係り、更に詳しくは、連動モニタ装置から現場機器処理部等に対して、プログラム及びデータをローディングし得る電子連動装置に関する。
【背景技術】
【０００２】
コンピュータ等の電子処理装置を用いた電子連動装置では、従来は、各駅毎に共通して使用する連動機能などを標準プログラムとして実装し、駅毎に異なる連動条件等はデータとして個々の電子連動装置に与えられている。プログラムやデータは、ＲＯＭ（Read Only Memory）に格納されていた。このため、プログラムや、データの内容が変更になった場合、端末装置の各論理部におけるプログラムやデータを格納しているＲＯＭを交換する必要があった。その際のＲＯＭ交換は人の手作業によるため、端末装置が異なる機器室に分散されている場合には、各機器室毎にROM交換人員を配置しなければならないという問題があった。
【０００３】
特許文献1は、上述した問題点に鑑み、連動モニタ装置から端末装置にデータをローディングする技術を開示している。しかし、特許文献1は、データのローディングを開示するに留まり、プログラム・ローディングは開示していない。プログラムを更新する際には、プログラムを端末装置の論理ユニットに直接に書き込まなければならない。これでは、端末装置を配置した機器室に人員を配置する必要がある他、ROM交換作業よりも長時間を要する書込み作業を要するため、連動モニタ装置から端末装置にデータをローディングするメリットが相殺されてしまう。
【０００４】
仮に、プログラム・ローディングが実現されたとしても、プログラム更新後は、端末装置のCPU（Central Processing Unit  中央演算処理装置）をリセットする必要があり、そのための人員を、各機器室に配置しなければならない。
【先行技術文献】
【特許文献】
【０００５】
【特許文献１】特開２００１−３０１６１９号公報
【発明の概要】
【発明が解決しようとする課題】
【０００６】
本発明の課題は、現場機器処理部等のある機器室に人員を配置することなく、連動モニタ装置から各端末装置に対して、プログラム及びデータをローディングし得る電子連動装置を提供することである。
【課題を解決するための手段】
【０００７】
以上の課題を解決するために、本発明に係る電子連動装置は、複数の現場機器処理部と、連動モニタ装置とを含む。前記現場機器処理部のそれぞれは、中央演算処理装置（以下CPUという）を備え、通信ネットワークに接続されている。前記連動モニタ装置は、前記通信ネットワークを経由して、前記現場機器処理部のそれぞれにプログラム及びデータを送信するとともに、少なくとも前記プログラムの更新時にはリセット信号を送信して前記CPUをリセットする。
【０００８】
上述したように、本発明に係る電子連動装置では、連動モニタ装置は、通信ネットワークを経由して、現場機器処理部のそれぞれにプログラム及びデータを送信するとともに、少なくともプログラムの更新時にはリセット信号を送信して、各現場機器処理部のCPUをリセットするから、連動モニタ装置から現場機器処理部のCPUに、プログラム及びデータをローディングすると共に、プログラムのローディング後は、連動モニタ装置からの指令により、現場機器処理部のCPUをリセットすることができる。
【０００９】
よって、現場機器処理部を配置した機器室に人員を配置することなく、連動モニタ装置から各現場機器処理部に対して、プログラム及びデータをローディングし得る電子連動装置を提供することができる。
【発明の効果】
【００１０】
以上述べたように、本発明によれば、現場機器処理部等のある機器室に人員を配置することなく、連動モニタ装置から各機器に対して、プログラム及びデータをローディングし得る電子連動装置を提供すること
本発明の他の目的、構成及び利点については、添付図面を参照し、更に詳しく説明する。添付図面は、単に、例示に過ぎない。
【図面の簡単な説明】
【００１１】
【図１】本発明に係る電子連動装置の構成を示すブロック図である。
【発明を実施するための形態】
【００１２】
図に示された電子連動装置は、駅単位の構成を表示したもので、連動モニタ装置１、連動制御盤３、自動進路制御装置５、第１通信ネットワーク７、制御盤・モニタ処理部９、第2通信ネットワーク１１、連動処理部１５、現場機器処理部１３１〜１３ｎ及び運行管理I/F部１７等を含んでいる。
【００１３】
連動モニタ装置１、連動制御盤３及び自動進路制御装置５は、第１通信ネットワーク７に接続されている。第１通信ネットワーク７は、例えば、二重化イーサ・ネットワークで構成されたＬＡＮ（Local Area Network）であり、回線７１と回線７２とを含んでいる。イーサ・ネットワークでは、送信すべき通信データを一定の長さ以下に分割して、決められた形式によるフレームを作り、情報を、常にフレームの形でネットワーク  ｖに流す。このように、元の情報が分割されているために、ネットワーク機器は一定の長さ以下の情報を扱うだけで済む。よって、情報転送に関わるあらゆる処理が非常に単純な作業の繰り返しで済む。
【００１４】
連動モニタ装置１は、プログラム及びデータのローディング機能を有するものであって、一般には、パーソナル・コンピュータで構成される。自動進路制御装置５は、予め列車の出発順序や信号・分岐器の操作をプログラムする。連動制御盤３は、ダイヤの遅れが生じてしまった場合等に、自動進路制御装置５によって設定されたプログラムに従うことを断念し、手動で進路設定を実行できるようにする。
【００１５】
第１通信ネットワーク７は、制御盤・モニタ処理部９を介して、第2通信ネットワーク１１に接続されている。第2通信ネットワーク１１は、具体的には、二重化光LAN等によって構成され、回線１１１と回線１１２を含んでいる。第2通信ネットワーク１１には、連動処理部１５、ｎ個の現場機器処理部１３１〜１３ｎ、運行管理I/F部１７等が接続されている。制御盤・モニタ処理部９は、連動モニタ装置１からの指示にしたがって、連動処理部１５、現場機器処理部１３１〜１３ｎ及び運行管理I/F部１７等で使用するプログラム及びデータを、第2通信ネットワーク１１に送信する。また、制御盤・モニタ処理部９は、上記の各部から受信した情報を連動モニタ装置１に示し、この情報に応じて連動モニタ装置１から指示されるデータ承認を、第１通信ネットワーク７を介して連動制御盤３、自動進路制御装置５の各論理部に送信する。
【００１６】
連動処理部１５、現場機器処理部１３１〜１３ｎ及び運行管理I/F部１７は、中央演算処理装置（CPUと称する）を内蔵していて、制御盤・モニタ処理部９より第2通信ネットワーク１１を介して送信されたプログラム及びデータを受信し、内蔵されたメモリに格納するとともに、その受信を確認するアンサを、第2通信ネットワーク１１を介して制御盤・モニタ処理部９に送信する。現場機器処理部１３１〜１３ｎからは、図示しない現場機器、例えば信号機や転轍機に対して、連動制御が与えられる。
【００１７】
上述した構成及び機能は、従来の電子連動装置に見られるところである。本発明の特徴は、ｎ個の端末装置たる現場機器処理部１３１〜１３ｎのそれぞれは、CPUを備え、通信ネットワーク７、１１に接続されている。連動モニタ装置１は、第１通信ネットワーク７及び第2通信ネットワーク１１を経由して、現場機器処理部１３１〜１３ｎのそれぞれにプログラム及びデータを送信するとともに、少なくともプログラムの更新時にはリセット信号を送信してCPUをリセットする。
【００１８】
その手段として、ｎ個の現場機器処理部１３１〜１３ｎのそれぞれは、リセット用リレーR3１〜R3n、及び、それらの接点R311〜R31nを有している。プログラム・ローディング及びデータ・ローディングに当たっては、ローディングモードを、「試験モード」及び「通常モード」の間で切り替える。試験モード時には、ローディングが終了し、承認扱いとなった後に、リレーR3１〜R3nが励磁され、リセットがかかり、それらの接点R311〜R31nが扛上している状態になる。通常モードは、リレーR3１〜R3nが無励磁で、それらの接点R311〜R31nが落下している状態に対応させることができる。連動モニタ装置１から、現場機器処理部１３１〜１３ｎにリレーR3１〜R3nが励磁されるような指令を与えることにより、遠隔にてリセットをかけることができる。
【００１９】
更に、制御盤・モニタ処理部９、連動処理部１５、現場機器処理部１３１〜１３ｎ及び運行管理I/F部１７も、リセット用リレーR1、R5、R7、及び、それらの接点R11、R51、R71を有しており、現場機器処理部１３１〜１３ｎと同様の動作を行う。運行管理I/F部１７は、中央装置とのインターフェース部である。
【００２０】
もっとも、リセット手段が、リレーR1、R5、R7、及び、それらの接点R11、R51、R71に限定されるという訳ではない。これらと等価な動作をなし得るものであれば、これを用いることができる。例えば、半導体スイッチを用いることもできるし、そのほか、ソフトウエア的な対応もありえる。
【００２１】
上述したように、本発明に係る電子連動装置では、連動モニタ装置１は、通信ネットワーク７，１１を経由して、現場機器処理部１３１〜１３ｎのそれぞれにプログラム及びデータを送信するとともに、少なくともプログラムの更新時にはリセット信号を送信して、各現場機器処理部１３１〜１３ｎのCPUをリセットするから、連動モニタ装置１から現場機器処理部１３１〜１３ｎのCPUに、プログラム及びデータをローディングすると共に、プログラムのローディング後は、連動モニタ装置１からの指令により、現場機器処理部１３１〜１３ｎのCPUをリセットすることができる。
【００２２】
よって、現場機器処理部１３１〜１３ｎ等を配置した機器室に人員を配置することなく、連動モニタ装置１から各現場機器処理部１３１〜１３ｎに対して、プログラム及びデータをローディングし得る電子連動装置を提供することができる。
【００２３】
制御盤・モニタ処理部９、連動処理部１５及び運行管理I/F部１７も、それらのCPUに、プログラム及びデータをローディングすると共に、プログラムのローディング後は、連動モニタ装置１からの指令により、現場機器処理部１３１〜１３ｎのCPUをリセットすることができる。
【符号の説明】
【００２４】
１                連動モニタ装置
７                第１通信ネットワーク
９                制御盤・モニタ処理部
１１                第２通信ネットワーク
１３１〜１３ｎ      現場機器処理部
Ｒ３１〜Ｒ３１ｎ    リセット用リレー
【図１】
2015036259.tif 000003